(57)【特許請求の範囲】
【請求項１】
互いに異なるメーカーのＮ（Ｎ≧２、且つ、Ｎ＝整数）個のサーバと、それぞれ、通信接続を構築するステップと、
スマート家電製品は、前記スマート家電製品の作動性能情報、前記スマート家電製品に対するユーザの操作動作情報の中の少なくとも一方を含む前記スマート家電製品に関連する情報を生成するステップと、
前記スマート家電製品は、前記Ｎ個のサーバに、前記スマート家電製品に関連する情報をそれぞれ送信するステップと、を含み、
前記スマート家電製品に関連する情報が、前記スマート家電製品に対するユーザの操作動作情報を含む場合、前記スマート家電製品に関連する情報を生成するステップは、
スマート家電製品は、前記スマート家電製品に対する前記ユーザの操作命令を取得するステップと、
スマート家電製品は、前記操作命令に基づいて、前記操作命令に対応される操作動作を実行するステップと、
スマート家電製品は、前記操作動作情報を生成するステップと
を含むことを特徴とするスマート家電製品の複数のサーバにアクセスするための方法。
【請求項２】
前記スマート家電製品に関連する情報が、前記スマート家電製品の作動性能情報を含む場合、前記スマート家電製品に関連する情報を生成するステップは、
所定のサンプリング周期に基づいて、前記スマート家電製品の作動性能情報をサンプリングするステップ
を含むことを特徴とする請求項１に記載の方法。
【請求項３】
Ｎ個のサーバと通信接続を構築するステップは、
前記スマート家電製品中に予め設定したＮ個のサーバの通信アドレスを取得するステップと、
前記Ｎ個のサーバの通信アドレスに基づいて、前記Ｎ個のサーバとそれぞれ通信接続を構築するステップと
を含むことを特徴とする請求項１又は２に記載の方法。
【請求項４】
互いに異なるメーカーのＮ（Ｎ≧２、且つ、Ｎ＝整数）個のサーバと、それぞれ、通信接続を構築する構築モジュールと、
スマート家電製品の作動性能情報、前記スマート家電製品に対するユーザの操作動作情報の中の少なくとも一方を含む前記スマート家電製品に関連する情報を生成する生成モジュールと、
前記Ｎ個のサーバに、前記スマート家電製品に関連する情報をそれぞれ送信する送信モジュールと、を備え、
前記スマート家電製品に関連する情報が、前記スマート家電製品に対するユーザの操作動作情報を含む場合、前記生成モジュール、取得ユニット、実行ユニット及び生成ユニットを備え、
前記取得ユニットは、前記スマート家電製品に対する前記ユーザの操作命令を取得し、
前記実行ユニットは、前記操作命令に基づいて、前記操作命令に対応される操作動作を実行し、
前記生成ユニットは、前記操作動作情報を生成する
ことを特徴とするスマート家電製品の複数のサーバにアクセスするための装置。
【請求項５】
前記スマート家電製品に関連する情報が、前記スマート家電製品の作動性能情報を含む場合、前記生成モジュールは、サンプリングユニットを備え、
前記サンプリングユニットは、所定のサンプリング周期に基づいて、前記スマート家電製品の作動性能情報をサンプリングする
ことを特徴とする請求項４に記載の装置。
【請求項６】
前記構築モジュールは、取得ユニット及び構築ユニットを備え、
前記取得ユニットは、前記スマート家電製品中に予め設定したＮ個のサーバの通信アドレスを取得し、
前記構築ユニットは、前記Ｎ個のサーバの通信アドレスに基づいて、前記Ｎ個のサーバとそれぞれ通信接続を構築する
ことを特徴とする請求項４又は５に記載の装置。
【請求項７】
プロセッサと、
前記プロセッサが実行可能な命令を記憶するためのメモリと
を備え、
前記プロセッサは、
互いに異なるメーカーのＮ（Ｎ≧２、且つ、Ｎ＝整数）個のサーバと、それぞれ、通信接続を構築し、
スマート家電製品は、前記スマート家電製品の作動性能情報、前記スマート家電製品に対するユーザの操作動作情報の中の少なくとも一方を含む前記スマート家電製品に関連する情報を生成し、
前記スマート家電製品は、前記Ｎ個のサーバに、前記スマート家電製品に関連する情報をそれぞれ送信し、
前記スマート家電製品に関連する情報が、前記スマート家電製品に対するユーザの操作動作情報を含む場合、前記スマート家電製品に関連する情報を生成することは、
スマート家電製品は、前記スマート家電製品に対する前記ユーザの操作命令を取得し、
スマート家電製品は、前記操作命令に基づいて、前記操作命令に対応される操作動作を実行し、
スマート家電製品は、前記操作動作情報を生成する
ように構成されることを特徴とするスマート家電製品の複数のサーバにアクセスするための装置。
【請求項８】
スマート家電製品及びＮ（Ｎ≧２、且つ、Ｎ＝整数）個のサーバを含み、
前記スマート家電製品は、請求項４乃至６のいずれか1項に記載の装置を含むか、
或いは、
前記スマート家電製品は、請求項７に記載の装置を含む
ことを特徴とするスマート家電製品の複数のサーバにアクセスするためのシステム。
【請求項９】
プロセッサに実行されることにより、請求項１から請求項３のいずれか１項に記載のスマート家電製品の複数のサーバにアクセスするための方法を実現することを特徴とするプログラム。
【請求項１０】
請求項９に記載のプログラムが記録された記録媒体。
【発明の詳細な説明】
【相互参照】
【０００１】
本願は、出願番号がＣＮ２０１５１０９７４３７６.７であって、出願日が２０１５年１２月２２日である中国特許出願に基づいて優先権を主張し、当該中国特許出願のすべての内容を援用する。
【技術分野】
【０００２】
本発明は、スマートデバイス技術分野に関し、特に、スマート家電製品の複数のサーバにアクセスするための方法、装置、システム、プログラム及び記録媒体に関する。
【背景技術】
【０００３】
現在、家電のスマート化は、家電業界の将来の発展の傾向になっている。いわゆる家電のスマート化とは、インタネットに直接的または間接的に接続する機能を有するＷｉ−Ｆｉ、Ｂｌｕｅｔｏｏｔｈ等のような無線通信チップを家電内に内装することにより、家電がインタネットに接続できるようにすることである。このようにして、ユーザによって、携帯電話のクライアントソフトウェアを利用して家電の作動状態を遠隔的に照会したり制御することができるようになった上に、サーバも、家電のデバイス情報及び家電に対するユーザの操作記録を収集できるようになった。
【０００４】
現在、家電のメーカーにとって、家電のデバイスを製造する技術は強力であるが、無線通信の技術はあまり強力ではない。このため、家電のメーカーは、家電の中に別途の無線通信装置を統合させて、家電をインタネットに接続させることにより、サーバに当該家電の各種の情報を転送する必要がある。しかし、家電の各種の情報を、家電のメーカーのサーバに転送か、又は、無線通信装置のメーカーのサーバに転送するかが、現在の論争の焦点となっている。
【発明の概要】
【発明が解決しようとする課題】
【０００５】
本発明の実施例は、スマート家電製品の複数のサーバにアクセスするための方法、装置、システム、プログラム及び記録媒体を提供する。
【課題を解決するための手段】
【０００６】
本発明の実施例に係る第１の態様によると、スマート家電製品の複数のサーバにアクセスするための方法を提供する。
【０００７】
当該方法は、
互いに異なるメーカーのＮ（Ｎ≧２、且つ、Ｎ＝整数）個のサーバと、それぞれ、通信接続を構築するステップと、
前記スマート家電製品に関連する情報を生成するステップと、
前記Ｎ個のサーバに、前記スマート家電製品に関連する情報をそれぞれ送信するステップと
を含む。
【０００８】
本発明の実施例に係る第２の態様によると、スマート家電製品の複数のサーバにアクセスするための装置を提供する。
【０００９】
当該装置は、
互いに異なるメーカーのＮ（Ｎ≧２、且つ、Ｎ＝整数）個のサーバと、それぞれ、通信接続を構築する構築モジュールと、
前記スマート家電製品に関連する情報を生成する生成モジュールと、
前記Ｎ個のサーバに、前記スマート家電製品に関連する情報をそれぞれ送信する送信モジュールと
を備える。
【００１０】
本発明の実施例に係る第３の態様によると、スマート家電製品の複数のサーバにアクセスするための装置を提供する。
【００１１】
当該装置は、
プロセッサと、
前記プロセッサが実行可能な命令を記憶するためのメモリと
を備え、
前記プロセッサは、
互いに異なるメーカーのＮ（Ｎ≧２、且つ、Ｎ＝整数）個のサーバと、それぞれ、通信接続を構築し、
前記スマート家電製品に関連する情報を生成し、
前記Ｎ個のサーバに、前記スマート家電製品に関連する情報をそれぞれ送信する
ように構成される。
【００１２】
本発明の実施例に係る第４の態様によると、スマート家電製品の複数のサーバにアクセスするためのシステムを提供する。
【００１３】
当該システムは、スマート家電製品及びＮ（Ｎ≧２、且つ、Ｎ＝整数）個のサーバを含み、
前記スマート家電製品は、第３の態様、或いは、第４の態様に記載の装置を含む。
本発明の実施例の第５の態様によると、プログラムを提供し、当該プログラムは、プロセッサに実行されることにより、上記のスマート家電製品の複数のサーバにアクセスするための方法を実現する。
本発明の実施例の第６の態様によると、記録媒体を提供し、当該記録媒体には、上記プログラムが記録されている。
【発明の効果】
【００１４】
本発明の実施例が提供する構成の有益な効果は以下のとおりである。
【００１５】
Ｎ個のサーバとそれぞれ通信接続を構築し、当該スマート家電製品に関連する情報を生成した後、当該Ｎ個のサーバに当該スマート家電製品に関連する情報をそれぞれ送信することにより、複数のサーバがいずれもスマートデバイスにより生成した当該スマートデバイスに関連する情報を得ることができるようになって、各メーカーの間に論争が存在することを回避した。
【００１６】
以上の統括な記述と以下の細部記述は、ただ例示的なものであり、本発明を制限するものではないと、理解するべきである。
【図面の簡単な説明】
【００１７】
ここでの図面は、明細書に合併されて本明細書の一部を構成して本発明に合致する実施例を示し、明細書とともに本発明の原理の説明するに用いられる。
【図１】例示的な一実施例に係るスマート家電製品の複数のサーバにアクセスするための方法を示すフローチャートである。
【図２】例示的なもう一実施例に係るスマート家電製品の複数のサーバにアクセスするための方法を示すフローチャートである。
【図３】例示的なもう一実施例に係るスマート家電製品の複数のサーバにアクセスするための方法を示すフローチャートである。
【図４】例示的な一実施例に係るスマートデバイスの複数のサーバにアクセスするための装置を示すブロック図である。
【図５】例示的な一実施例に係るスマートデバイスの複数のサーバにアクセスするための装置を示すブロック図である。
【図６】例示的な一実施例に係るスマートデバイスの複数のサーバにアクセスするための装置を示すブロック図である。
【図７】例示的な一実施例に係るスマート家電製品の複数のサーバにアクセスするための装置７００を示すブロック図である。
【図８】例示的な一実施例に係るスマート家電製品の複数のサーバにアクセスするためのシステムを示すブロック図である。
【００１８】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００１９】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２０】
図１は、例示的な一実施例に係るスマート家電製品の複数のサーバにアクセスするための方法を示すフローチャートである。本実施例は、スマート家電製品の複数のサーバにアクセスするための方法を、スマート家電製品に応用する例を挙げて説明する。当該スマート家電製品の複数のサーバにアクセスするための方法は、以下のステップを含んでもよい。
【００２１】
ステップ１０１において、互いに異なるメーカーのＮ（Ｎ≧２、且つ、Ｎ＝整数）個のサーバと、それぞれ、通信接続を構築する。
【００２２】
ステップ１０２において、当該スマート家電製品に関連する情報を生成する。
【００２３】
ステップ１０３において、当該Ｎ個のサーバに当該スマート家電製品に関連する情報をそれぞれ送信する。
【００２４】
本実施例において、スマート家電製品は、Ｎ個のサーバと、それぞれ、通信接続を構築してもよい。ここで、Ｎ≧２であり、且つ、Ｎ＝整数である。また、当該Ｎ個のサーバは、互いに異なるメーカーに属する。Ｎは３であってもよく、一つのサーバはスマート家電製品の生産メーカーに属し、もう一つのサーバは本発明の方法を実現する装置（当該装置はスマート家電製品に設置される）の生産メーカーに属し、さらにもう一つのサーバは当該スマート家電製品を管理する生産メーカーであってもよい。本発明の方法を実現する装置の生産メーカーと、当該スマート家電製品を管理する生産メーカーとは、同一の生産メーカーであってもよい。ここでは、Ｎが２であるケースを説明する。ここで、一つのサーバは、例えば、「美的」、「格力」などのようなスマート家電製品の生産メーカーに属し、もう一つのサーバは、例えば、「小米」のような当該スマート家電製品を管理するためのアプリケーションのメーカーであってもよい。
【００２５】
オプションとして、ステップ１０１を実現する方法において、当該スマート家電製品中に予め設定したＮ個のサーバの通信アドレスを取得し、当該Ｎ個のサーバの通信アドレスに基づいて、当該Ｎ個のサーバとそれぞれ通信接続を構築してもよい。当該Ｎ個のサーバの通信アドレスは、インターネットプロトコルアドレス（ＩＮｔｅｒＮｅｔ Ｐｒｏｔｏｃｏｌ Ａｄｄｒｅｓｓ）アドレス、メディアアクセスコントロール（Ｍｅｄｉａ Ａｃｃｅｓｓ ＣｏＮｔｒｏｌ）アドレス、等であってもよい。
【００２６】
当該スマート家電製品は、Ｎ個のサーバと通信接続を構築した後に、当該Ｎ個のサーバとそれぞれ通信して、情報を転送することができる。スマート家電製品は、当該スマート家電製品に関連する情報を生成した後に、生成した当該スマート家電製品に関連する情報を、当該Ｎ個のサーバにそれぞれ送信してもよい。このようにして、Ｎ個のサーバは、いずれも、当該スマート家電製品に関連する情報を取得することができる。さらに、各メーカーは、これら情報に基づいて、自分が必要な分析を行うことができる。
【００２７】
オプションとして、上記の生成される当該スマート家電製品に関連する情報は、当該スマート家電製品の作動性能情報、当該スマート家電製品に対するユーザの操作動作情報の中の少なくとも一方を含む。スマート家電製品の作動性能情報は、スマート家電製品の作動パラメータ情報、及び、スマート家電製品が作動する時の環境パラメータ情報を含んでもよい。スマート家電製品がエアコンである例を挙げて説明する。エアコンの作動性能情報は、エアコンが作動する時の温度、作動する時間の長さ、エアコンが作動する時の環境の温度、湿度、等を含み、当該スマート家電製品に対するユーザの操作動作情報は、エアコンがユーザによって起動される時間、ユーザによって設定される起動する時間の長さ、ユーザによって設定される作動温度、等を含む。
【００２８】
オプションとして、ステップ１０３は、以下の具体的な実現方法を含む。
【００２９】
第１の実現方法において、スマート家電製品は、当該スマート家電製品に関連する情報を生成した後、Ｎ個のサーバに、生成した当該スマート家電製品に関連する情報を、それぞれ、リアルタイムで送信する。
【００３０】
第２の実現方法において、スマート家電製品は、事前に定義した時間間隔に基づいて、Ｎ個のサーバに、当該スマート家電製品に関連する情報を、それぞれ、送信する。例えば、スマート家電製品は、１時間の間隔をあけて、Ｎ個のサーバに、当該スマート家電製品に関連する情報を、それぞれ、送信してもよい。ここで、送信する当該スマート家電製品に関連する情報は、この１時間内で生成された情報である。
【００３１】
第３の実現方法において、スマート家電製品は、各々のサーバに対応される事前に定義した時間間隔に基づいて、Ｎ個のサーバに、当該スマート家電製品に関連する情報を、それぞれ、送信してもよい。例えば、スマート家電製品は、Ｎが２である例を挙げると、第１のサーバに対応される事前に定義した時間間隔が３０分であり、第２のサーバに対応される事前に定義した時間間隔が１時間であると、３０分ごとに、第１のサーバにこの３０分内に生成された当該スマート家電製品に関連する情報を送信し、１時間ごとに、第２のサーバにこの１時間内に生成された当該スマート家電製品に関連する情報を送信する。
【００３２】
上記のように、本実施例によって提供するスマート家電製品の複数のサーバにアクセスするための方法によると、Ｎ個のサーバとそれぞれ通信接続を構築し、当該スマート家電製品に関連する情報を生成した後、当該Ｎ個のサーバに当該スマート家電製品に関連する情報をそれぞれ送信することにより、複数のサーバがいずれもスマートデバイスにより生成した当該スマートデバイスに関連する情報を得ることができるようになって、各メーカーの間に論争が存在することを回避した。
【００３３】
図２は、例示的なもう一実施例に係るスマート家電製品の複数のサーバにアクセスするための方法を示すフローチャートである。本実施例は、スマート家電製品の複数のサーバにアクセスするための方法を、スマート家電製品に応用する例を挙げて説明する。当該スマート家電製品の複数のサーバにアクセスするための方法は、以下のステップを含んでもよい。
【００３４】
ステップ２０１において、互いに異なるメーカーのＮ（Ｎ≧２、且つ、Ｎ＝整数）個のサーバと、それぞれ、通信接続を構築する。
【００３５】
本実施例のステップ２０１の具体的の実現方法は、図１に示した本発明の実施例の中の関連される記載を参照すればよく、ここでは繰り返して説明しない。
【００３６】
ステップ２０２において、所定のサンプリング周期に基づいて、当該スマート家電製品の作動性能情報をサンプリングする。
【００３７】
本実施例において、スマート家電製品に関連する情報が、当該スマート家電製品の作動性能情報を含む例を挙げて説明する。当該スマート家電製品の作動性能情報に対して、サンプリング周期を予め設定して、所定のサンプリング周期に基づいて、当該スマート家電製品の作動性能情報をサンプリングしてもよい。例えば、所定のサンプリング周期が１０分であると、１０分ごとに、当該スマート家電製品の作動性能情報を一回サンプリングする。
【００３８】
ここで、スマート家電製品の作動性能情報に関する記載は、図１に示した本発明の方法の実施例の中の関連される記載を参照すればよく、ここでは繰り返して説明しない。
【００３９】
ステップ２０３において、当該Ｎ個のサーバに、当該スマート家電製品の作動性能情報を、それぞれ、送信する。
【００４０】
本実施例において、ステップ２０３の具体的な実現方法は、図１に示した本発明の実施例の中の関連される記載を参照すればよく、ここでは繰り返して説明しない。
【００４１】
上記のように、本実施例によって提供するスマート家電製品の複数のサーバにアクセスするための方法によると、Ｎ個のサーバとそれぞれ通信接続を構築し、所定のサンプリング周期に基づいて、当該スマート家電製品の作動性能情報をサンプリングした後、当該Ｎ個のサーバに当該スマート家電製品の作動性能情報をそれぞれ送信することにより、複数のサーバがいずれもスマートデバイスにより生成した当該スマートデバイスの作動性能情報を得ることができるようになって、各メーカーの間に論争が存在することを回避した。
【００４２】
図３は、例示的なもう一実施例に係るスマート家電製品の複数のサーバにアクセスするための方法を示すフローチャートである。本実施例は、スマート家電製品の複数のサーバにアクセスするための方法を、スマート家電製品に応用する例を挙げて説明する。当該スマート家電製品の複数のサーバにアクセスするための方法は、以下のステップを含んでもよい。
【００４３】
ステップ３０１において、互いに異なるメーカーのＮ（Ｎ≧２、且つ、Ｎ＝整数）個のサーバと、それぞれ、通信接続を構築する。
【００４４】
本実施例のステップ３０１の具体的の実現方法は、図１に示した本発明の実施例の中の関連される記載を参照すればよく、ここでは繰り返して説明しない。
【００４５】
ステップ３０２において、当該スマート家電製品に対するユーザの操作命令を取得する。
【００４６】
本実施例において、スマート家電製品は、当該スマート家電製品に対するユーザの操作命令を取得することができる。当該スマート家電製品に対するユーザの操作命令は、ユーザによってスマート家電製品のリモコンを利用して出した操作命令、ユーザによって当該スマート家電製品の管理ＡＰＰを利用して出した操作命令、ユーザによってスマート家電製品のタッチスクリーン又はボタンを利用して出した操作命令、等であってもよい。
【００４７】
ステップ３０３において、当該操作命令に従って、当該操作命令に対応される操作動作を実行する。
【００４８】
ステップ３０４において、当該スマート家電製品に対するユーザの操作動作情報を生成する。
【００４９】
本実施例において、当該スマート家電製品に対するユーザの操作命令を取得した後、当該操作命令に基づいて、当該操作命令に対応される操作動作を実行し、続いて、当該スマート家電製品に対するユーザの操作動作情報を生成する。例えば、スマート家電製品がエアコンであり、操作命令がエアコンの作動温度を２５度に設定する命令であると、スマート家電製品は、エアコンの作動温度を２５度に調整した後に、ユーザがエアコンの作動温度を２５度に調整する操作動作情報を生成する。
【００５０】
ステップ３０５において、当該Ｎ個のサーバに、当該スマート家電製品に対するユーザの操作動作情報を、それぞれ、送信する。
【００５１】
本実施例において、ステップ３０５の具体的の実現方法は、図１に示した本発明の実施例の中の関連される記載を参照すればよく、ここでは繰り返して説明しない。
【００５２】
上記のように、本実施例によって提供するスマート家電製品の複数のサーバにアクセスするための方法によると、Ｎ個のサーバと、それぞれ、通信接続を構築した後に、当該スマート家電製品に対するユーザの操作命令を取得し、当該操作命令に基づいて、当該操作命令に対応される操作動作を実行する同時に、当該スマート家電製品に対するユーザの操作動作情報を生成して、当該Ｎ個のサーバに当該スマート家電製品に対するユーザの操作動作情報をそれぞれ送信することにより、複数のサーバがいずれもスマートデバイスにより生成した当該スマートデバイスに対するユーザの操作動作情報を得ることができるようになって、各メーカーの間に論争が存在することを回避した。
【００５３】
以下は、本発明の装置の実施例であり、本発明の方法の実施例を実行することができる。本発明の装置の実施例において記述していない細部内容に対しては、本発明の方法の実施例を参照してください。
【００５４】
図４は、例示的な一実施例に係るスマートデバイスの複数のサーバにアクセスするための装置を示すブロック図である。当該装置は、ソフトウェア、ハードウェア、或いは、両者の組み合わせによって、スマート家電の一部、或いは、全部を実現できる。当該装置は、構築モジュール４１０、生成モジュール４２０及び送信モジュール４３０を備えてもよい。
【００５５】
構築モジュール４１０は、互いに異なるメーカーのＮ（Ｎ≧２、且つ、Ｎ＝整数）個のサーバと、それぞれ、通信接続を構築する。
【００５６】
生成モジュール４２０は、前記スマート家電製品に関連する情報を生成する。
【００５７】
送信モジュール４３０は、前記Ｎ個のサーバに、前記スマート家電製品に関連する情報をそれぞれ送信する。
【００５８】
オプションとして、前記スマート家電製品に関連する情報は、前記スマート家電製品の作動性能情報、前記スマート家電製品に対するユーザの操作動作情報の中の少なくとも一方を含む。
【００５９】
上記のように、本実施例によって提供するスマートデバイスの複数のサーバにアクセスするための装置によると、Ｎ個のサーバとそれぞれ通信接続を構築し、当該スマート家電製品に関連する情報を生成した後、当該Ｎ個のサーバに当該スマート家電製品に関連する情報をそれぞれ送信することにより、複数のサーバがいずれもスマートデバイスにより生成した当該スマートデバイスに関連する情報を得ることができるようになって、各メーカーの間に論争が存在することを回避した。
【００６０】
図５は、例示的な一実施例に係るスマートデバイスの複数のサーバにアクセスするための装置を示すブロック図である。当該装置は、ソフトウェア、ハードウェア、或いは、両者の組み合わせによって、スマート家電の一部、或いは、全部を実現できる。当該装置は、図４に示した装置を基に、オプションとして、前記スマート家電製品に関連する情報が前記スマート家電製品の作動性能情報を含む場合、生成モジュール４２０は、サンプリングユニット４２１を備えてもよい。
【００６１】
サンプリングユニット４２１は、所定のサンプリング周期に基づいて、前記スマート家電製品の作動性能情報をサンプリングする。
【００６２】
オプションとして、構築モジュール４１０は、取得ユニット４１１及び構築ユニット４１２を備えてもよい。
【００６３】
取得ユニット４１１は、前記スマート家電製品中に予め設定したＮ個のサーバの通信アドレスを取得する。
【００６４】
構築ユニット４１２は、前記Ｎ個のサーバの通信アドレスに基づいて、前記Ｎ個のサーバとそれぞれ通信接続を構築する。
【００６５】
上記のように、本実施例によって提供するスマート家電製品の複数のサーバにアクセスするための装置よると、Ｎ個のサーバとそれぞれ通信接続を構築し、所定のサンプリング周期に基づいて、当該スマート家電製品の作動性能情報をサンプリングした後、当該Ｎ個のサーバに当該スマート家電製品の作動性能情報をそれぞれ送信することにより、複数のサーバがいずれもスマートデバイスにより生成した当該スマートデバイスの作動性能情報を得ることができるようになって、各メーカーの間に論争が存在することを回避した。
【００６６】
図６は、例示的な一実施例に係るスマートデバイスの複数のサーバにアクセスするための装置を示すブロック図である。当該装置は、ソフトウェア、ハードウェア、或いは、両者の組み合わせによって、スマート家電の一部、或いは、全部を実現できる。当該装置は、図４に示した装置を基に、オプションとして、前記スマート家電製品に関連する情報が前記スマート家電製品に対するユーザの操作動作情報を含む場合、生成モジュール４２０は、取得ユニット４２２、実行ユニット４２３及び生成ユニット４２４を備えてもよい。
【００６７】
取得ユニット４２２は、前記スマート家電製品に対する前記ユーザの操作命令を取得する。
【００６８】
実行ユニット４２３は、前記操作命令に基づいて、前記操作命令に対応される操作動作を実行する。
【００６９】
生成ユニット４２４は、前記操作動作情報を生成する。
【００７０】
オプションとして、構築モジュール４１０は、取得ユニット４１１及び構築ユニット４１２を備えてもよい。
【００７１】
取得ユニット４１１は、前記スマート家電製品中に予め設定したＮ個のサーバの通信アドレスを取得する。
【００７２】
構築ユニット４１２は、前記Ｎ個のサーバの通信アドレスに基づいて、前記Ｎ個のサーバとそれぞれ通信接続を構築する。
【００７３】
上記のように、本実施例によって提供するスマート家電製品の複数のサーバにアクセスするための装置によると、Ｎ個のサーバと、それぞれ、通信接続を構築した後に、当該スマート家電製品に対するユーザの操作命令を取得し、当該操作命令に基づいて、当該操作命令に対応される操作動作を実行する同時に、当該スマート家電製品に対するユーザの操作動作情報を生成して、当該Ｎ個のサーバに当該スマート家電製品に対するユーザの操作動作情報をそれぞれ送信することにより、複数のサーバがいずれもスマートデバイスにより生成した当該スマートデバイスに対するユーザの操作動作情報を得ることができるようになって、各メーカーの間に論争が存在することを回避した。
【００７４】
図７は、例示的な一実施例に係るスマート家電製品の複数のサーバにアクセスするための装置７００を示すブロック図である。例えば、装置７００は、スマートエアコン、スマート冷蔵庫、スマートテレビ、等である。
【００７５】
図７を参照して、装置７００は、プロセスアセンブリ７０２、メモリ７０４、電源アセンブリ７０６、マルチメディアアセンブリ７０８、オーディオアセンブリ７１０、入出力（Ｉ／Ｏ）インターフェイス７１２、センサアセンブリ７１４、及び通信アセンブリ７１６のような一つ以上のアセンブリを含んでよい。
【００７６】
プロセスアセンブリ７０２は、一般的には装置７００の全体の動作を制御するものであり、例えば、表示、電話呼び出し、データ通信、カメラ動作、及び記録動作と関連する動作を制御する。プロセスアセンブリ７０２は、一つ以上のプロセッサ７２０を含み、これらによって命令を実行することにより、上記の方法の全部、或は一部のステップを実現するようにしてもよい。なお、プロセスアセンブリ７０２は、一つ以上のモジュールを含み、これらによってプロセスアセンブリ７０２と他のアセンブリの間のインタラクションを容易にするようにしてもよい。例えば、プロセスアセンブリ７０２は、マルチメディアモジュールを含み、これらによってマルチメディアアセンブリ７０８とプロセスアセンブリ７０２の間のインタラクションを容易にするようにしてもよい。
【００７７】
メモリ７０４は、各種類のデータを記憶することにより装置７００の動作を支援するように構成される。これらのデータの例は、装置７００において動作するいずれのアプリケーションプログラム又は方法の命令、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００７８】
電源アセンブリ７０６は、装置７００の多様なアセンブリに電力を供給する。電源アセンブリ７０６は、電源管理システム、一つ以上の電源、及び装置７００のための電力の生成、管理及び割り当てに関連付けられている他のアセンブリを含んでもよい。
【００７９】
マルチメディアアセンブリ７０８は、前記装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ７０８は、一つのフロントカメラ、及び／又はリアカメラを含む。装置７００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００８０】
オーディオアセンブリ７１０は、オーディオ信号を入出力するように構成されてもよい。例えば、オーディオアセンブリ７１０は、一つのマイク（ＭＩＣ）を含み、装置７００が、例えば呼出しモード、記録モード、及び音声認識モード等の動作モードにある場合、マイクは外部のオーディオ信号を受信することができる。受信されたオーディオ信号は、さらにメモリ７０４に記憶されたり、通信アセンブリ７１６を介して送信されたりされる。上記の実施例において、オーディオアセンブリ７１０は、オーディオ信号を出力するための一つのスピーカーをさらに含む。
【００８１】
Ｉ／Ｏインターフェイス７１２は、プロセスアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【００８２】
センサアセンブリ７１４は、装置７００に各種の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、例えば、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。上記の実施例において、当該センサアセンブリ７１４は、加速度センサ、ジャイロスコープセンサ、磁気センサ、圧力センサ、及び温度センサをさらに含んでもよい。
【００８３】
通信アセンブリ７１６は、装置７００と他の機器の間に有線、又は利便性のよい形態の通信を提供する。装置７００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、前記通信アセンブリ７１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００８４】
例示的な実施例において、装置７００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００８５】
例示的な実施例において、さらに、命令を含むコンピュータ読取り可能な非一時的な記録媒体、例えば命令を含むメモリ７０４を提供しており、装置７００のプロセッサ７２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【００８６】
コンピュータ読取り可能な非一時的な記録媒体は、当該記録媒体中の命令が装置７００のプロセッサによって実行される際に、装置７００に、上記の各個実施例によって提供するスマート家電製品アクセスの複数のサーバにアクセスするための方法を実行させる。
【００８７】
図８は、例示的な一実施例に係るスマート家電製品の複数のサーバにアクセスするためのシステムを示すブロック図である。当該システムは、スマート家電製品８１０及びＮ個のサーバ８２０を備える。
【００８８】
スマート家電製品８１０は、図４乃至図７に記載の装置の中のいずれか一つである。
【００８９】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００９０】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006392373.tif 000002
【図２】
0006392373.tif 000003
【図３】
0006392373.tif 000004
【図４】
0006392373.tif 000005
【図５】
0006392373.tif 000006
【図６】
0006392373.tif 000007
【図７】
0006392373.tif 000008
【図８】
0006392373.tif 000009